(57)【要約】      （修正有）【課題】光度を高める発光ダイオードの光度強化構造を提供する。【解決手段】積載部に碗型の反射体７０が設置され、光源を発生するチップ４０によって、反射体底層の中心位置に設置される。反射体の碗型形状内層は複数個の反射ブロック７１に囲まれ、各反射ブロックは碗型形状体の底層から最上縁に向かって複数個の反射転換面７２を形成し、各反射転換面によってチップ各部位の光源をチップ上方の区域に集中して投射する。【選択図】図２
0003107022.tif 000002
【実用新案登録請求の範囲】
【請求項１】
透明密封体の内部に極性の異なる導電端子及び積載部が設置され、積載部にはチップが固定され、金線でチップの電極層と導電端子を連接する発光ダイオードの光度強化構造において、
積載部は、碗型形状の反射体で、チップを反射体の底層中心位置に設置し、その反射体の内層は複数の扇形反射ブロックで覆われ、各扇形反射ブロックは反射体の底層から最上縁に向けて複数個の反射転換面が形成され、各反射転換面からチップ各部位の光源をチップ上方の区域に集中して投射し、これによって光度を高めることを特徴とする発光ダイオードの光度強化構造。
【請求項２】
前記扇形反射ブロックは、反射体の碗型内層で放射状に囲み、扇形を形成することを特徴とする請求項1記載の発光ダイオードの光度強化構造。
【請求項３】
前記反射体は、各扇形反射ブロックを貼り合わせて構成されることを特徴とする請求項1記載の発光ダイオードの光度強化構造。
【請求項４】
前記各扇形反射ブロックは、各反射転換面を貼り合わせて構成されることを特徴とする請求項1記載の発光ダイオードの光度強化構造。
【請求項５】
前記各扇形反射ブロックは、ガラス鏡面から構成されることを特徴とする請求項3記載の発光ダイオードの光度強化構造。
【請求項６】
前記各反射転換面は、ガラス鏡面から構成されることを特徴とする請求項4記載の発光ダイオードの光度強化構造。
【考案の詳細な説明】
【技術分野】
【０００１】
本考案は、発光ダイ才一ドの光度強化構造に関するものである。
【背景技術】
【０００２】
発光ダイオードは、体積が小さいこと、消費電カが低いこと、発熱が低いこと、そして寿命が長いという特性から、クリスマスライト、懐中電灯、車両シグナル等に使用されおり、従来のタングステン電球に取って代わりつつある。また一般的な発光ダイオードの基本構造は、透明絶縁体内部に異なる極性を具えた導電端子及び積載部を有し、チップを積載部固に設置して、チップの周辺に蛍光材を設置し、別に金線より構成されたチップの電極層が導電端子に接続される。また各導電端子は透明絶縁体まで伸びて電源の接続ポイントとなる。
【０００３】
導電端子は通電すると、そのチップから発生する光源が蛍光材を通過することによって、蛍光材の波長と結合して予期される可視光となる。このため、関連の製造工程、製造技術を改良し、且つ蛍光材の設計工夫することによって、特定の光色表現効果の発光部品に仕上げることが可能なため、発光ダイオードの市場は急速に拡大している。
【考案の開示】
【考案が解決しようとする課題】
【０００４】
しかしながら、既存の技術を見渡すと、発光ダイオード関連の技術研究開発は、なお発光ダイオードの光色表現効果、及び発光ダイオードの生産能カの向上に偏重されている。そのため、発光ダイオードの光度を高めるものが少ない点を解決する課題とする。
【課題を解決するための手段】
【０００５】
本考案は、積載部に碗型の反射体が設置され、光源を発生するチップによって、反射体底層の中心位置に設置される。反射体の碗型形状内層は複数個の反射ブロックに囲まれ、各反射ブロックは碗型形状体の底層から最上縁に向かって複数個の反射転換面を形成し、各反射転換面によってチップ各部位の光源をチップ上方の区域に集中して投射することを最も主要な特徴とする。
【考案の効果】
【０００６】
本考案の発光ダイオードの光度強化構造は、光度を高めるという利点がある。
【考案を実施するための最良の形態】
【０００７】
以下、本考案の実施例について、図面を参照しながら説明する。
【実施例１】
【０００８】
図に示すとおり、透明密封体10内部に電極の異なる導電端子20及び積載部30を設置し、その積載部30にはチップ40及び関連の蛍光材60を固定する。別に金線50によってチップ40の電極層41と導電端子20が連接され、各導電端子20は透明密封体10外部で電源接続ポイントとなる。
【０００９】
これらによって、導電端子20が通電し、チップ40から発生する光源が蛍光材60を通った時、蛍光材60と波長結合して予め予測した光の色となる。
【００１０】
図2に示すとおり、本考案は、積載部30とチップ40の間に反射体70が設置され、当実施例に於いて、積載部30は導電端子20に設置する碗型形状体で、反射体70は積載部30の碗型形状体に固定する。また、チップ40は反射体70底層中央位置に固定し、蛍光材60はクリスタル接着剤を混合した蛍光粉末から構成され、チップ40と反射体70の間に設置して直接反射体70上に接着する。
【００１１】
本考案の反射体70は、碗型形状体内層に放射状で複数の扇形反射ブロック71が取り巻き、各扇形反射ブロック71は碗型形状体の底層から最上縁にかけて複数個の反射転換面72を形成する。実施時、扇形反射ブロック71はガラス鏡面から構成された反射転換面72を張り合わせる。各扇形反射ブロック71によって取り巻かれた碗型形状体の反射体70は、反射体70の内層で複数が特定の高度、角度の反射転換面から構成された反射面で、各反射転換面72によって、チップ40各部位の光源はチップ40上方の区域に集中して投射され、図3に示すとおり、発光ダイオードの光度を有効に高める。
【００１２】
本考案の実施時、蛍光材の形態は、発光ダイオードの構造空間、加工工程によって異なる。図1に示す実施例は、発光ダイオードが加工工程の必要性から、チップ40の表層に透明絶縁樹脂11を形成する構造体である。
【実施例２】
【００１３】
図4に示すのは、別の形式の発光ダイオードで、その発光ダイオードは回路板上に設置する。その回路板80上には予め凹んだ積載部30が設置され、反射体70は積載部30内部底面に固定される。各導電端子(図示せず)は直接回路板80の回路接続ポイントに敷設され、回路板上の発光ダイオードとなる。
【００１４】
図4に示すとおり、積載部30に透明絶縁樹脂及び蛍光粉末で構成される蛍光材60を充填し、最後に高温で焼成定型する。蛍光材60全体は焼成過程に於いて、蛍光材が重力によってチップ40表層を覆い、更に上方の透明絶縁樹脂が澄んだ透明絶縁樹脂11に転換する。また透明絶縁樹脂11をチップ40の最上面に被せてチップ40に適当な防護作用を具える。
【図面の簡単な説明】
【００１５】
【図１】本考案の第一実施例構造指示図である。
【図２】本考案のチップと反射体の構造分解図である。
【図３】本考案のチップ各部位の光源反射状態指示図である。
【図４】本考案の第二実施例構造指示図である。
【符号の説明】
【００１６】
10  透明密封体
11  透明絶縁樹脂
20  導電端手
30  積載部
40  チップ
41  電極層
50  金線
60  蛍光材
70  反射体
71  扇形反射ブロック
72  反射転換面
80  回路板
【図１】
0003107022.tif 000003
【図２】
0003107022.tif 000004
【図３】
0003107022.tif 000005
【図４】
0003107022.tif 000006